(57)【要約】【課題】斜め方向からの視認性を低下させて覗き見防止機能を得ることにある。【解決手段】パターンデータ生成部（１０）と、データ合成部（１２、２８）とを備える。前記パターンデータ生成部（１０）は、単一ドット又は複数ドットを単位として複数の明部（例えば、白データＷ）と暗部（例えば、黒データＢ）とを分布させたパターンデータ（６）を生成する。前記データ合成部（１２、２８）は、表示部（８）の表示データ（４）に前記パターンデータを合成する。【選択図】図１
2011203683.tif 000002
【特許請求の範囲】
【請求項１】
単一ドット又は複数ドットを単位として複数の明部と暗部とを分布させたパターンデータを生成するパターンデータ生成部と、
表示部の表示データに前記パターンデータを合成するデータ合成部と、
を備えることを特徴とする表示制御装置。
【請求項２】
前記データ合成部は、前記パターンデータとの合成により前記表示データを該表示データの暗部分に前記パターンデータの前記明部を分布させた合成表示データに変換することを特徴とする請求項１に記載の表示制御装置。
【請求項３】
前記データ合成部は、
前記表示データに前記パターンデータを加算する加算部と、
前記加算部で得た加算データの明部側を所定のクリップレベルでクリップさせるクリップ処理部と、
を備えることを特徴とする請求項１に記載の表示制御装置。
【請求項４】
コンピュータによって実行される表示制御プログラムであって、
単一ドット又は複数ドットを単位として複数の明部と暗部とを配置したパターンデータを生成する機能と、
表示部の表示データに前記パターンデータを合成する機能と、
を前記コンピュータに実行させる表示制御プログラム。
【請求項５】
単一ドット又は複数ドットを単位として複数の明部と暗部とを配置したパターンデータを生成するステップと、
表示部の表示データに前記パターンデータを合成するステップと、
前記パターンデータが合成された表示データを表示部に表示するステップと、
を含むことを特徴とする表示制御方法。
【発明の詳細な説明】
【技術分野】
【０００１】
本発明は、液晶表示器を備える携帯端末装置等の携帯装置の画像表示制御に関し、例えば、画像処理によって覗き見防止（ベールビュー）機能を備えた表示制御装置、表示制御プログラム及び表示制御方法に関する。
【背景技術】
【０００２】
携帯端末装置等の携帯装置では、情報表示に液晶表示器（ＬＣＤ：Liquid Crystal Display）が用いられている。携帯装置の使用シーンは様々であり、表示内容が他人の目に晒されることを避けることができない。このため、画像表示側で表示内容を周囲に視認されないような工夫が施されている。覗き見の視認性を低下させるためのいわゆる覗き見防止の機能強化である。
【０００３】
このような画像表示に関し、表示画像が正面からは見易く周囲からは見え難い表示形態として新ベールビュー機能が知られている（非特許文献１）。
【先行技術文献】
【非特許文献】
【０００４】
【非特許文献１】第３回  新ベールビューやスマートリンク辞書など、数々の新機能を搭載−「ＳＨ９０６ｉ」の進化
【発明の概要】
【発明が解決しようとする課題】
【０００５】
ところで、従来の覗き見防止では、ＬＣＤの狭視野化、表示画面にフィルムの添付、メッシュパターンの重合等が実用化されている。画像表示の覗き見防止は、表示画像の質や面積と関係し、覗き見防止の目的のため、解像度の劣化、輝度むら、斜め方向からの視点でコントラストが上昇する等の、画質的な変化が生じるという課題がある。
【０００６】
そこで、本開示の表示制御装置及び表示制御方法の目的は、斜め方向からの視認性を低下させて覗き見防止機能を得ることにある。
【課題を解決するための手段】
【０００７】
上記課題を解決する本開示の表示制御装置は、パターンデータ生成部と、データ合成部とを備える。前記パターンデータ生成部は、単一ドット又は複数ドットを単位として複数の明部と暗部とを分布させたパターンデータを生成すればよい。前記データ合成部は、表示部の表示データに前記パターンデータを合成する。
【０００８】
上記課題を解決する本開示の表示制御プログラムは、コンピュータによって実行される表示制御プログラムであって、パターンデータ生成機能と、データ合成機能とを含む。前記パターンデータ生成機能は、単一ドット又は複数ドットを単位として複数の明部と暗部とを配置したパターンデータを生成する。前記データ合成機能は、表示部の表示データに前記パターンデータを合成する。
【０００９】
上記課題を解決する本開示の表示制御方法は、パターンデータ生成ステップと、データ合成ステップと、表示ステップとを含む。パターンデータ生成ステップでは、単一ドット又は複数ドットを単位として複数の明部と暗部とを配置したパターンデータを生成する。前記データ合成ステップでは、表示部の表示データに前記パターンデータを合成する。そして、前記表示ステップでは、パターンデータが合成された表示データを表示部に表示する。
【発明の効果】
【００１０】
本開示の表示制御装置、表示制御プログラム及び表示制御方法によれば、次のような効果が得られる。
【００１１】
(1) 表示データにパターンデータを合成して画像表示をするので、斜め方向からの視認性を低下させ、覗き見防止機能を実現できる。
【００１２】
(2) 表示された画像の見かけ上のコントラストを低下させて覗き見防止機能を得ているので、フィルム貼着の煩瑣な作業は不要である。
【００１３】
そして、本発明の他の目的、特徴及び利点は、添付図面及び各実施の形態を参照することにより、一層明確になるであろう。
【図面の簡単な説明】
【００１４】
【図１】第１の実施の形態に係る携帯装置の表示制御装置の一例を示す図である。
【図２】表示制御の処理手順の一例を示すフローチャートである。
【図３】第２の実施の形態に係る携帯端末装置の表示制御装置の一例を示す図である。
【図４】携帯端末装置のハードウェアの一例を示す図である。
【図５】携帯端末装置の外観構成の一例を示す図である。
【図６】表示データ生成部の一例を示す図である。
【図７】表示部の一例を示す図である。
【図８】パターンデータの一例を示す図である。
【図９】パターンデータの一例を示す図である。
【図１０】パターンデータの一例を示す図である。
【図１１】パターンデータ生成部の一例を示す図である。
【図１２】データ合成部の一例を示す図である。
【図１３】覗き見防止機能の設定画面の一例を示す図である。
【図１４】覗き見防止機能のパターン選択表示画面の一例を示す図である。
【図１５】覗き見防止機能の処理手順の一例を示すフローチャートである。
【図１６】データ合成処理の処理手順の一例を示すフローチャートである。
【図１７】データ合成の処理過程を示す図である。
【図１８】表示データの画像処理過程の一例を示す図である。
【図１９】図１８の一部のデータ処理の一例を示す図である。
【図２０】覗き見防止機能の処理前後の画像推移の一例を示す図である。
【図２１】覗き見防止処理前の表示画面の一例を示す図である。
【図２２】覗き見防止機能の表示画面の一例を示す図である。
【図２３】覗き見防止機能の表示画面の一例を示す図である。
【図２４】覗き見防止機能の表示画面の一例を示す図である。
【図２５】覗き見防止機能の表示画面の一例を示す図である。
【図２６】覗き見防止機能の表示画面の一例を示す図である。
【図２７】覗き見防止機能の表示画面の一例を示す図である。
【図２８】ＬＣＤの構成例を示す図である。
【図２９】ＬＣＤの動作を示す図である。
【図３０】ＬＣＤの動作を示す図である。
【図３１】従前の映像レベルに対するコントラスト比率を示す図である。
【図３２】視野角に対するコントラスト比率を示す図である。
【図３３】ベールビュー機能の特性を示す図である。
【図３４】覗き見防止機能を説明するための図である。
【図３５】他の実施の形態に係る携帯情報端末機の一例を示す図である。
【図３６】他の実施の形態に係るパーソナルコンピュータの一例を示す図である。
【発明を実施するための形態】
【００１５】
〔第１の実施の形態〕
【００１６】
第１の実施の形態は、単一ドット又は複数ドットを単位として複数の明部と暗部とを分布させたパターンデータを生成し、このパターンデータを表示データに合成し、表示画像の見掛け上のコントラストを低下させる構成である。
【００１７】
この第１の実施の形態について、図１を参照する。図１は、第１の実施の形態に係る表示制御装置の一例を示している。
【００１８】
携帯装置２は、本開示の表示制御装置を適用した電子機器の一例であって、表示データ４にパターンデータ６を合成して見掛け上の低コントラスト化により、覗き見防止機能の実現ないし強化をしている。
【００１９】
そこで、この携帯装置２は、図１に示すように、表示制御装置３と、表示部８とを備えている。表示制御装置３は、本開示の表示制御装置の一例であって、表示データ４を表示部８に表示する機能部としてパターンデータ生成部１０と、データ合成部１２とを備えている。
【００２０】
表示データ４は、表示部８に表示可能なデータであって、文字、図形、写真の何れでもよいし、これらが混合されていてもよい。この表示データ４は、パターンデータ６や合成表示データ１４に対し、原データである。
【００２１】
表示部８は、表示データ４や合成表示データ１４を表示する表示処理手段の一例であって、例えば、ＬＣＤ表示器に表示データ４や合成表示データ１４の表示処理を行う。
【００２２】
パターンデータ生成部１０は、表示データ４に合成するためのパターンデータ６を生成する。パターンデータ６は、単一ドット又は複数ドットを単位として複数の明部と暗部とを分布させたデータであり、明部は例えば、白データ、暗部は例えば、黒データである。この場合、単一ドットは、表示部８の表示単位であり、画素である。複数ドットは単一ドットの集合体である。
【００２３】
データ合成部１２は、表示データ４にパターンデータ６を合成する合成手段の一例であって、表示データ４にパターンデータ６を合成して合成表示データ１４に変換する機能を備える。合成表示データ１４は、表示部８に提供され、表示部８に画像として表示させる。覗き見防止機能を必要としない場合には、データ合成部１２が何らの処理を施すことなく、表示データ４を通過させる。
【００２４】
斯かる構成によれば、表示データ４にパターンデータ生成部１０からのパターンデータ６が合成され、その合成表示データ１４を表示部８に表示させることができる。表示データ４は原データであるのに対し、パターンデータ６は、既述の通り、単一ドット又は複数ドットの単位で明部と暗部とを分布させたデータである。このようなパターンデータ６と表示データ４との合成により、合成表示データ１４が得られる。
【００２５】
このように、表示データ４に既述のパターンデータ６を合成すれば、その合成表示データ１４では、表示データ４の暗部分に単一ドット又は複数ドットの単位でパターンデータ６の明部をドット単位又は複数ドット単位で分布させた画像が得られる。このような画像表示では、表示データ４による画像に比較して見掛け上のコントラストを低下させることができる。コントラストの低下により正面から見た視認性も低下してしまうが、斜めから見た画像もより低下するので、覗き見防止機能を強化することができる。
【００２６】
この表示制御機能の処理手順について、図２を参照する。図２は、表示制御機能の処理手順の一例を示している。
【００２７】
この表示制御機能の処理手順は、本開示の表示制御プログラム及び表示制御方法の一例であって、図２に示すように、パターンデータの生成やデータ合成等の処理を含んでいる。
【００２８】
表示データ４の表示画像に対する覗き見防止動作を開始すると、パターンデータ６が生成される（ステップＳ１）。このパターンデータ６は、既述の通り、単一ドット又は複数ドットを単位として複数の明部と暗部とを分布させたデータである。
【００２９】
このパターンデータ６を表示データ４に合成し（ステップＳ２）、表示データ４を合成表示データ１４に変換する。
【００３０】
そして、合成表示データ１４を表示部８に表示する（ステップＳ３）。この合成表示データ１４では、表示データ４にパターンデータ６を合成することにより、見掛け上、低コントラスト化した画像が得られる。この結果、既述の通り、画像表示の覗き見防止機能が強化されている。
【００３１】
この実施の形態では、覗き見防止動作の開始を契機にパターンデータ６の生成を開始しているが、パターンデータ６の生成を常態とし、覗き見防止動作の開始を契機にパターンデータ６を表示データ４に合成させる構成としてもよい。また、覗き見防止動作が停止している場合には、データ合成部１２のデータ合成機能を停止し、表示データ４の通過により通常の高コントラスト表示とすればよい。
【００３２】
〔第２の実施の形態〕
【００３３】
第２の実施の形態は、携帯装置として携帯端末装置の覗き見防止機能を強化し、例えば、メール文等の画像表示を低コントラスト化表示とした構成である。
【００３４】
この第２の実施の形態について、図３を参照する。図３は、第２の実施の形態に係る表示制御装置の一例を示している。図３において、図１と同一部分には同一符号を付してある。
【００３５】
携帯端末装置２２は、本開示の表示制御装置を適用した電子機器の一例であって、図３に示すように、既述の表示制御装置３と、表示部８とを備え、表示制御装置３は、パターンデータ生成部１０と、データ源２４と、表示データ生成部２６と、データ合成部２８と、制御部３０とを備える。
【００３６】
表示データ４、パターンデータ６、表示部８及びパターンデータ生成部１０は、第１の実施の形態で述べた通りであるので、その説明を省略する。
【００３７】
データ源２４は、既述の表示データ４を生成させるための原データを出力する出力源であって、例えば、データを記憶するデータ記憶部で構成される。この実施の形態では、携帯端末装置２２にデータ源２４が設置されているが、携帯端末装置２２の外部に設置されて携帯端末装置２２にデータを提供するデータ源であってもよい。
【００３８】
表示データ生成部２６は、データ源２４からデータを受け、このデータから表示部８で表示する表示データ４（画像データ）を生成する。
【００３９】
データ合成部２８は、既述のデータ合成部１２（図１）に対応し、表示データ生成部２６で生成した表示データ４にパターンデータ生成部１０で生成したパターンデータ６を合成し、合成表示データ１４を生成させる手段である。パターンデータ６が白部分と黒部分とを交互に備える例えば、メッシュパターンデータであれば、このメッシュパターンデータが表示データ４に合成される。この合成表示データ１４は、メッシュパターンデータとの合成により、表示データ４を低コントラスト化したデータである。即ち、表示データ４とメッシュパターンデータとの合成により、表示データ４を低コントラスト化したデータである合成表示データ１４に変換する。
【００４０】
制御部３０は、パターンデータ生成部１０及びデータ合成部２８の制御手段であって、覗き見防止機能の動作として、パターンデータ生成部１０の動作及びパターンデータの選択、データ合成部２８の動作を切り替える。例えば、パターンデータ生成部１０がＯＮの場合には、データ合成部２８ではデータ合成部２８のデータ合成（画像合成）を実行させる。また、パターンデータ生成部１０がＯＦＦの場合にはデータ合成部２８は表示データ４の通過動作に切り替える。
【００４１】
そして、表示部８は、覗き見防止動作（パターンデータ生成部１０のＯＮ）では合成表示データ１４の提供を受け、この合成表示データ１４を表示する。覗き見防止動作の解除（パターンデータ生成部１０のＯＦＦ）では表示データ４の提供を受け、原データである表示データ４を表示する。
【００４２】
この携帯端末装置２２のハードウェアについて、図４及び図５を参照する。図４は携帯端末装置のハードウェアの一例を示し、図５は、その外観構成の一例を示している。
【００４３】
この携帯端末装置２２は、上記機能部（図３）を実現するためのハードウェアを備えている。そこで、この携帯端末装置２２では、通信部３２と、液晶表示器（ＬＣＤ）３４と、入力操作部３６と、機能切替部３８と、プロセッサ４０と、記憶部４２とを備えている。
【００４４】
通信部３２は、アンテナ４４を備え、プロセッサ４０の制御により、図示しない基地局と無線により通信する手段であって、通信先とメール等の交換や音声通話を行う。
【００４５】
ＬＣＤ３４は、既述の表示部８の表示機能を液晶表示するものであって、プロセッサ４０によって制御され、表示データ４や合成表示データ１４を表示し、図示しないバックライト用の光源を備えている。
【００４６】
入力操作部３６は、カーソルキーや記号キー等を備える操作手段であって、ユーザによって操作され、この操作によって選択された文字情報や選択情報がプロセッサ４０に取り込まれる。
【００４７】
機能切替部３８は、覗き見防止機能を有効にするか無効にするかの機能選択手段の一例であって、ユーザにより操作される例えば、スイッチで構成する。この機能切替部３８に代え、ＬＣＤ３４の表示画面に表示されたソフトウェアキーによって機能切替えを行うようにしてもよく、この機能切替部３８はハードウェアキー及びソフトウェアキーの双方を包含している。また、この機能切替部３８には、このような機能切替えに加え、パターンデータの選択機能を割り付けてもよい。この場合、機能切替部３８の操作により、メニュー選択モードに移行させ、メニュー選択モードに明示された覗き見防止機能を動作させ、合成に用いるパターンデータの選択を行うようにしてもよい。
【００４８】
プロセッサ４０は、通信制御、メール作成制御、覗き見防止制御等の各種制御等を実行する制御手段の一例であって、記憶部４２にあるＯＳ（Operating System）やアプリケーションプログラムを実行する。
【００４９】
記憶部４２は、ＯＳ等のプログラムの記憶手段であるとともに、データ記憶手段の一例であって、例えば、Ｆｌａｓｈメモリで構成される。この記憶部４２には、プログラム記憶部４６と、データ記憶部４８と、ＲＡＭ（Random-Access Memory）５０とが備えられている。プログラム記憶部４６は、既述のＯＳ５２、データ合成プログラム５４等が格納されている。データ合成プログラム５４は覗き見防止用のプログラムの一例である。データ記憶部４８には、パターンデータ記憶部５６、表示データ記憶部５７が設定されている。パターンデータ記憶部５６には複数種のメッシュパターンが格納されている。このメッシュパターンが表示データ４に合成されるデータである。表示データ記憶部５７は、既述のデータ源２４（図３）の一例であって、表示データ生成部２６に提供するための原データを記憶する手段である。また、ＲＡＭ５０は、データ処理のワークエリアを構成する。
【００５０】
そして、この携帯端末装置２２は、図５に示すように、操作側筐体部５８と、表示側筐体部６０とを備え、これら筐体部５８、６０は摺動機構を備えて表示側筐体部６０が操作側筐体部５８の上面側を上下方向に摺動可能である。
【００５１】
操作側筐体部５８には、入力操作部３６として例えば、カーソルキーや文字キーが備えられるとともに、機能切替部３８が備えられている。機能切替部３８は押しボタンスイッチ、摺動スイッチで構成すればよい。表示側筐体部６０には、ＬＣＤ３４の液晶表示画面６２が設けられている。
【００５２】
このような携帯端末装置２２では、ＬＣＤ３４の液晶表示画面６２に文字や図形等の画像が表示されている際に、機能切替部３８の操作により、覗き見防止モード又は覗き見防止解除モードを選択的に設定することができる。
【００５３】
次に、表示データ生成部及び表示部について、図６及び図７を参照する。図６は、表示データ生成部の一例を示し、図７は、表示部の一例を示している。
【００５４】
表示データ生成部２６（図３）には、図６に示すように、画像生成部６４が備えられ、この画像生成部６４は複数のデータから例えば、単一の画面に画像を表示する表示データ４を生成する手段である。
【００５５】
この実施の形態では、データ源２４として例えば、複数のデータ源２４１、２４２、２４３が含まれ、データ源２４１は場所Ａ、データ源２４２は場所Ｂ、データ源２４３は場所Ｃに存在する。各データ源２４１、２４２、２４３からデータａ、ｂ、ｃが画像生成部６４に個別に提供されている。即ち、画像生成部６４では、指定された場所に送られてきた各データａ、ｂ、ｃを液晶表示画面６２に表示するようにする。
【００５６】
画像生成部６４では、これらのデータａ、ｂ、ｃを合成し、表示データ４（＝ａ＋ｂ＋ｃ）が生成され、ＬＣＤ３４（表示部８）に提供される。ＬＣＤ３４の液晶表示画面６２には表示データ４が表示され、この実施の形態では、データａ、ｂ、ｃからなる画像６６ａ、６６ｂ、６６ｃが表示され、一つの液晶表示画面６２に画像６６ａ、６６ｂ、６６ｃの合成画像が表示されている。
【００５７】
また、表示部８は、ＬＣＤ３４に表示データを表示する手段であって、この実施の形態では、図７に示すように、データ変換処理部６８と、液晶駆動パルス生成部７０とを備えている。データ変換処理部６８は、表示データ生成部２６（図３）から提供される表示データ４を液晶表示画面６２に発色させるためのデータ変換処理を実行する。この場合、表示データ４の原データは、輝度信号（Ｙ）、輝度信号と青色成分の差（Ｕ）、輝度信号と赤色成分の差（Ｖ）の情報で構成されたＹＵＶフォーマットで送られてくる画像データである。そこで、データ変換処理部６８では、ＹＵＶフォーマットの画像データを３原色ＲＧＢのＲＧＢフォーマットに変換し、液晶表示画面６２に表示できる表示データに変換する。ここで、Ｒは赤（Red ）、Ｇは緑（Green ）、Ｂは青（Blue）である。
【００５８】
液晶駆動パルス生成部７０は、液晶表示画面６２に既述の表示データ４の各データａ、ｂ、ｃを画像６６ａ、６６ｂ、６６ｃとして生成するため、ＬＣＤ３４を制御する駆動パルスを生成する。この結果、液晶表示画面６２には、液晶駆動パルス生成部７０が出力する駆動パルス７２により、表示データ４の画像６６ａ、６６ｂ、６６ｃが表示される。
【００５９】
次に、パターンデータ６について、図８、図９及び図１０を参照する。図８、図９及び図１０はパターンデータの一例を示している。
【００６０】
パターンデータ６は既述の通り、単一ドット又は複数ドットを単位として複数の明部と暗部とを分布させたデータであって、例えば、メッシュパターン７４、７６（図８）、７８、８０（図９）、８２、８４（図１０）で構成すればよい。
【００６１】
メッシュパターン７４では、図８の（Ａ）に示すように、単一ドットの単位で即ち、１〔dot 〕毎に黒データＢと、白データＷとをｎ行ｎ列に交互に配置したチェックデータである。
【００６２】
メッシュパターン７６では、図８の（Ｂ）に示すように、単一ドットの単位で即ち、１ドット〔dot 〕毎に黒データＢと白データＷを形成し、奇数行では、黒データＢと、白データＷとを交互に配置している。偶数行では、３つの白データＷと、１つの黒データＢとを交互に配置し、行数の増加に応じて黒データＢの位置又は白データＷの位置を２ドットずつ変位させている。
【００６３】
メッシュパターン７８では、図９の（Ａ）に示すように、単一ドットの単位で即ち、１ドット〔dot 〕毎に黒データＢと白データＷを形成し、各行は、１つの黒データＢと、３つの白データＷとを交互に配置し、行数の増加に応じて黒データＢの位置又は白データＷの位置を１ドットずつ変位させている。
【００６４】
メッシュパターン８０では、図９の（Ｂ）に示すように、単一ドットの単位で即ち、１ドット〔dot 〕毎に黒データＢと白データＷを形成し、各行は、１つの黒データＢと、３つの白データＷとを交互に配置している。４行を単位とし、奇数行にあっては行数の増加に応じて黒データＢの位置又は白データＷの位置を１ドットずつ変位させ、偶数行にあっては行数の増加に応じて黒データＢの位置又は白データＷの位置を３ドットずつ変位させている。４行毎に同一パターンを配置しているので、黒データＢの配置に規則性はあるものの、ランダム性が向上している。
【００６５】
メッシュパターン８２では、図１０の（Ａ）に示すように、単一ドットの単位で即ち、１ドット〔dot 〕毎に黒データＢと白データＷを形成し、各行は、８ドット中に１つの黒データＢと、７つの白データＷとを備え、黒データＢの位置を行間で同一位置にならないように規則的に変化させている。白データＷが支配的に配置されているが、黒データＢの位置が規則性を持つものの、黒データＢのランダム性が向上している。
【００６６】
メッシュパターン８４では、図１０の（Ｂ）に示すように、単一ドットの単位で即ち、１ドット〔dot 〕毎に黒データＢと白データＷを形成し、各行及び各列を８行８列とし、列又は行中に２つの黒データＢを配置している。各黒データＢは、行の増加に応じて左右１ドットずつ接近させ、４行目で隣接状態となり、この隣接状態から行の増加に応じて左右１ドットずつ離間させている。この結果、８行８列の６４ドットを単位とし、白地に黒データＢでＸを表すパターンを構成している。白データＷが面積的には支配的であるが、その白地に文字様のＸが表示され、Ｘに注視させるパターンデータを構成している。
【００６７】
次に、パターンデータ生成部１０について、図１１を参照する。図１１は、パターンデータ生成部の一例を示している。図１１において、図３と同一部分には同一符号を付してある。
【００６８】
このパターンデータ生成部１０では、既述のパターンデータ記憶部５６と、記憶制御部８６とを備える。パターンデータ記憶部５６は、記憶部４２のデータ記憶部４８（図４）に設定されているが、記憶部４２とは別のメモリに構成してもよい。そして、このパターンデータ記憶部５６には、既述のメッシュパターン７４、７６、７８、８０、８２、８４等のパターンが例えば、パターン１、パターン２・・・として格納されている。
【００６９】
記憶制御部８６は、パターンデータ記憶部５６のパターンデータの読込みや読出しを制御する手段であって、制御部３０からのＯＮ／ＯＦＦ制御信号により動作を開始し、パターン選択入力により、所望のパターンを選択可能である。
【００７０】
斯かる構成によれば、制御部３０からのＯＮ／ＯＦＦ制御信号により、記憶制御部８６を動作状態又は動作停止状態に切り替えることができる。動作状態に設定された記憶制御部８６にパターン選択入力が制御部３０から加えられると、選択されたパターン１又はパターン２等のパターンデータが選択される。このパターンデータはデータ合成部２８に提供され、表示データ４との合成に用いられる。
【００７１】
次に、データ合成部２８について、図１２を参照する。図１２は、データ合成部の一例を示している。図１２において、図３と同一部分には同一符号を付してある。
【００７２】
このデータ合成部２８は、既述のデータ合成部１２（図１）及びデータ合成部２８（図３）の一例であって、図１２に示すように、加算部８８と、クリップ処理部９０とを備えている。
【００７３】
加算部８８は、表示データ４とパターンデータ６とを加算する加算手段の一例であって、表示データ４とパターンデータ６とを例えば、１対１の比率で加算する。この加算比率を任意に変更する構成としてもよい。加算部８８で得た加算データ９２はクリップ処理部９０に提供される。
【００７４】
クリップ処理部９０は、加算データ９２に所定レベルのクリップ処理を施す手段の一例であって、所定レベルとして例えば、白データより高いレベルでクリップ処理を施す。
【００７５】
このようなデータ合成部２８を用いて加算データ９２に例えば、白レベルより高いレベルでクリップ処理を施した合成表示データ１４が得られる。この合成表示データ１４には、表示データ４の解像度を低下させることなく、白データで支配され、表示データ４を低コントラスト化したデータが得られる。
【００７６】
次に、覗き見防止機能の設定の処理手順について、図１３及び図１４を参照する。図１３は、覗き見防止機能の設定画面の一例を示し、図１４は、覗き見防止機能のパターン選択表示画面の一例を示している。
【００７７】
この携帯端末装置２２では、図示しない待受け画面から覗き見防止機能設定に移行すると、図１３に示すように、覗き見防止機能の設定画面９４が液晶表示画面６２に展開される。この設定画面９４には、タイトルバー９６と、選択表示部９８と、ソフトウェアキー１００とが表示される。タイトルバー９６には、実行中の機能モードを表す情報として“覗き見防止機能設定”が表示されている。
【００７８】
選択表示部９８には、選択設定の内容の一例として、「覗き見防止機能を設定しますか？」の表示とともに、選択情報として「する」及び「しない」が表示されている。この「する」及び「しない」から「する」を選択すれば、覗き見防止機能設定となり、「しない」を選択すれば、覗き見防止機能設定から他のモード例えば、初期画面に戻すことができる。
【００７９】
そして、覗き見防止機能を設定する場合には、既述の「する」の選択により、図１４に示すように、パターン選択表示画面１０２が表示される。このパターン選択表示画面１０２にはタイトルバー９６と、選択表示部９８と、ソフトウェアキー１００とが表示される。選択表示部９８には、「パターン選択」の表示とともに、選択対象である複数のパターン１、パターン２、パターン３・・・の選択情報が表示される。これらのパターン情報からパターンを選択することにより、表示データ４に加算すべきパターンデータ６を選択することができる。
【００８０】
次に、覗き見防止機能の処理手順について、図１５を参照する。図１５は、覗き見防止機能の処理手順の一例を示している。
【００８１】
この処理手順は、本開示の表示制御プログラム及び表示制御方法の一例であって、ＧＵＩ（Graphical User Interface）操作に基づき、機能実行の処理、機能停止の処理の何れかが選択され、各処理が実行される。
【００８２】
そこで、この処理手順においては、図１５に示すように、覗き見防止機能の実行又は停止に際し、機能の実行又は停止のための入力を監視し（ステップＳ１１）、機能実行か否か（機能停止か）を判定する（ステップＳ１２）。
【００８３】
機能実行であれば（ステップＳ１２のＹＥＳ）、ＧＵＩ操作から機能実行を選択する（ステップＳ１３）。この選択により、実行コマンドを受け取り（ステップＳ１４）、関連モジュールを有効にする（ステップＳ１５）。ここで、関連モジュールとは、既述のパターンデータ生成部１０及びデータ合成部２８である。そこで、パターンデータ生成部１０の動作を有効にし、データ合成部２８のデータ合成動作を有効にする。
【００８４】
機能停止であれば（ステップＳ１２のＮＯ）、ＧＵＩ操作から機能停止を選択する（ステップＳ１６）。この選択により、実行コマンドを受け取り（ステップＳ１７）、関連モジュールを停止させる（ステップＳ１８）。ここで、関連モジュールとは既述の通りであり、そこで、パターンデータ生成部１０の動作を停止し、データ合成部２８のデータ合成動作を停止させる。
【００８５】
次に、データ合成（変換）の処理手順について、図１６を参照する。図１６は、データ合成処理の処理手順の一例を示している。
【００８６】
この処理手順は、本開示の表示制御プログラム及び表示制御方法の一例であって、ＧＵＩ操作に基づき、覗き見防止機能の選択から合成表示データの表示までの処理を含んでいる。
【００８７】
そこで、この処理手順では、図１６に示すように、覗き見防止機能をＯＮにすれば（ステップＳ２１）、パターンの選択指定に移行する（ステップＳ２２）。パターンを選択すると、選択されたパターンのパターンデータがパターンデータ記憶部５６（図４、図１１）から読み出される（ステップＳ２３）。
【００８８】
このパターンデータが記憶制御部８６（図１１）からデータ合成部２８（図３）に出力され（ステップＳ２４）、データ合成部２８では、パターンデータ６と表示データ４とが合成される（ステップＳ２５）。この合成処理によって得られた合成表示データ１４（図３）が表示部８に加えられ、この合成表示データ１４が表示部８の液晶表示画面６２に表示される（ステップＳ２６）。この合成表示データ１４の画像は、パターンデータ６との合成によって低コントラスト化された表示データ４の画像である。これによって画像データの覗き見防止が図られている。
【００８９】
次に、データ合成（変換）の処理手順について、図１７を参照する。図１７は、データ合成の処理過程を示している。
【００９０】
このデータ合成（変換）の処理について、図１７は、表示データ（Ａ）に、白及び黒のメッシュパターンデータ（Ｂ）を加算し、クリップ処理後の合成表示データ（Ｄ）が得られ、表示データ（Ａ）が低コントラスト化される状態遷移を表している。
【００９１】
この場合、表示データ４は、図１７のＡに示すように、画像の幅方向位置の明度レベルを示し、１ドット毎の明度レベルが幅方向の位置で変化し、そのレベル変化が黒データ（レベル０〔％〕）Ｂと、白データ（レベル１００〔％〕）Ｗとの間で分布している。黒データＢは黒レベルのピーク、白データＷは白レベルのピークを示している。
【００９２】
メッシュパターンデータを表すパターンデータ６では、図１７のＢに示すように、画面の横方向に１ドット毎に交互に白データＷと黒データＢが分布している。白データＷはパターンデータ６の明部、黒データＢはパターンデータ６の暗部の一例である。
【００９３】
表示データ４にパターンデータ６を加算すると、図１７のＣに示すように、表示データ４のドット毎のピーク点のレベル上にパターンデータ６の白データＷと黒データＢとが１対１の割合で加算されている。この加算データ９２では、表示データ４の各ドット毎のレベルに応じてパターンデータ６の白データＷのレベルが、表示可能な白レベルを超えることとなる。
【００９４】
そこで、このデータ合成処理では、加算データ９２（図１７のＣ）に対し、クリップ（clip）処理を施す。即ち、加算データ９２が持つ白レベル側のデータに対し、液晶表示画面６２に表示可能な白レベルをクリップレベルとするクリップ（clip）処理を施すと、加算データ９２から白データＷのレベルを超えるデータ分が切り取られて合成表示データ１４が得られる。
【００９５】
この合成表示データ１４は、図１７のＤに示すように、図１７のＡの表示データ４の白データ側のレベル部Ｃ1 、Ｃ2 、Ｃ3 ・・・と白データＷとの間に図１７のＢのパターンデータ６が補完されている。この結果、表示データ４が低コントラスト化した合成表示データ１４に変換されている。具体的には、表示データ４のうち明度が低いレベル部分に白データがドット単位で合成されるので、表示データ４の暗い部分のレベル部Ｃ1 、Ｃ2 、Ｃ3 ・・・（黒又は色相）にドット単位で白抜き部Ｗ1 、Ｗ2 、Ｗ3 ・・・が形成されている。これら白抜き部Ｗ1 、Ｗ2 、Ｗ3 ・・・による表示データ４の白抜きが表示データ４を低コントラスト化している。
【００９６】
この実施の形態では、白黒データのパターンデータ６を用いているが、カラー表示で単一又は異なる色相を用いてパターンデータ６を生成し、表示データ４の色相による低コントラスト化を図ってもよい。
【００９７】
次に、表示データの画像処理について、図１８を参照する。図１８は、表示データの画像処理過程を示している。
【００９８】
表示データ４を例えば、文字“Ｆ”の部分を黒データＢ、背景部を白データＷとすれば、この表示データ４は、図１８のＡに示すように、液晶表示画面６２に表示される。この場合、１つの枡目を１ドットと仮定する。
【００９９】
また、この表示データ４に対するパターンデータ６を１ドット毎に白データＷ及び黒データＢを配置したチェック模様データ（メッシュパターンデータ）とすれば、このパターンデータ６は、図１８のＢに示すように、液晶表示画面６２に表示される。
【０１００】
そこで、表示データ４にパターンデータ６を合成し、即ち、既述の加算及びクリップ処理を行えば、黒データＢからなる文字“Ｆ”が白抜きされた合成表示データ１４に変換される。この合成表示データ１４は、図１８のＣに示すように、文字“Ｆ”の背景部の白データＷはクリップされて依然として白データＷのままとなる。これに対し、文字“Ｆ”の黒データＢの部分はパターンデータ６による１ドット毎の白抜き部Ｗ1 、Ｗ2 、Ｗ3 ・・・が得られ、表示データ４の低コントラスト化、文字“Ｆ”の低コントラスト化が図られる。この場合、合成表示データ１４のドット構成は原データである表示データ４と同一であり、解像度は同一である。
【０１０１】
図１８に示す例では、説明を容易にするため、単一レベルの黒データＢを用いているが、色相や明度が異なる表示データ４に対してパターンデータ６を加算すれば、色相や白レベルの異なる低コントラスト化が得られる。
【０１０２】
この画像処理のデータ処理について、図１９を参照する。図１９は、図１８のＡのＰ−Ｑ部分のデータ処理を示している。
【０１０３】
既述の図１８のＡにおいて、背景部が白データＷであり、文字“Ｆ”の部分が黒データＢであるから、図１９のＡに示すように、Ｐ−Ｑ部分には、白データＷの部分Ａ1 、Ａ2 と、黒データＢの部分Ａ3 とを含んでいる。
【０１０４】
図１９のＢはパターンデータ６であり、単一ドットで白データＷと黒データＢとが交互に規則正しく分布している。このパターンデータ６を図１９のＡに示す表示データに加算すると、図１９のＣに示すように、白データＷ（Ａ1 、Ａ2 ）及び黒データＢ（Ａ3 ）にパターンデータ６が加算され、重畳した状態を呈する。この加算データ９２では、白データＷのレベルを超える加算部分Ｃ1 、Ｃ2 と、黒データＢに白データＷの加算部分Ｃ3 とが含まれている。即ち、加算部分Ｃ3 は、表示データ４の暗部分に対応し、ドット単位で白データＷによる白抜き部分が生じている。
【０１０５】
そこで、この加算データ９２に白レベルをクリップレベルＣＬとしたクリップ処理を施すと、図１９のＤに示すように、クリップされた部分Ｄ1 、Ｄ2 は、白データＷの部分であり、表示データ４の暗部分Ｄ3 は、白データＷによるドット単位の白抜き部分となる。Ｄ1 、Ｄ2 では、原データである表示データ４の白データＷの部分Ａ1 、Ａ2 と同様であり、パターンデータ６の表出はない。
【０１０６】
そこで、覗き見防止機能について、図２０を参照する。図２０は覗き見防止機能の処理前後の画像推移の一例を示している。
【０１０７】
図２０の（Ａ）は図１８のＡに対応し、図２０の（Ｂ）は図１８のＣに対応している。図２０の（Ａ）では、背景部を白データＷ、文字“Ｆ”の部分を黒データＢで示している。ＬＣＤ３４上の画像表示では、ドット間の境界は表出しない。そして、表示データ４がパターンデータ６との合成及び白レベルのクリップ処理後では、図２０の（Ｂ）に示すように、黒で表示された文字“Ｆ”部分にパターンデータ６の明部即ち、白データＷでの抜け部分１０３をドット単位で生じている。パターンデータ６の白データＷが複数ドットであれば、複数ドットを単位として抜け部分１０３が生じ、ドット数に比例して抜け部分１０３の面積が広がる。このような抜け部分１０３は背景部と同様の白データＷで表され、斜めから見た場合に白く浮き上がり、斜め方向からの文字“Ｆ”の視認性を低下させる。即ち、覗き見防止機能が発揮されることになる。
【０１０８】
次に、覗き見防止機能の表示画面について、図２１、図２２、図２３、図２４、図２５、図２６及び図２７を参照する。図２１は、覗き見防止を施していない画面表示を示し、図２２、図２３、図２４、図２５、図２６及び図２７は、覗き見防止を施した画面表示を示している。これらの表示は一例であって、係る表示に本開示の覗き見防止機能が限定されるものではない。
【０１０９】
既述の覗き見防止機能を動作させていない場合には、図２１に示すように、表示データ４のみによる表示画面１０４が生成される。これに対し、表示データ４（図２１）に図８の（Ａ）に示す既述のパターンデータ６（メッシュパターン１／２）を合成すれば、図２２に示すように、合成表示データ１４による表示画面１０６が表示される。表示データ４（図２１）に図８の（Ｂ）に示す既述のパターンデータ６（メッシュパターン３／４）を合成すれば、図２３に示すように、合成表示データ１４による表示画面１０８が表示される。表示データ４（図２１）に図９の（Ａ）に示す既述のパターンデータ６（メッシュパターン１／４）を合成すれば、図２４に示すように、合成表示データ１４による表示画面１１０が表示される。表示データ４（図２１）に図９の（Ｂ）に示す既述のパターンデータ６（メッシュパターン１／４）を合成すれば、図２５に示すように、合成表示データ１４による表示画面１１２が表示される。表示データ４（図２１）に図１０の（Ａ）に示す既述のパターンデータ６（メッシュパターン１／８）を合成すれば、図２６に示すように、合成表示データ１４による表示画面１１４が表示される。また、表示データ４（図２１）に図１０の（Ｂ）に示す既述のパターンデータ６（メッシュパターン１／８）を合成すれば、図２７に示すように、合成表示データ１４による表示画面１１６が表示される。
【０１１０】
次に、覗き見防止機能及び動作特性について、図２８、図２９、図３０、図３１、図３２及び図３３を参照する。図２８、図２９及び図３０は液晶分子の動きと透過光の様子、図３１はコントラスト比率、図３２は黒レベルを上昇させた場合の特性、図３３は本開示のベールビュー機能の特性差分を示している。
【０１１１】
既述の覗き見防止機能の原理として、ＩＰＳ（In-Plane-Switching）液晶の視野角とコントラストの関係に言及する。そこで、ＩＰＳ液晶を用いたＬＣＤ３４では、図２８に示すように、最上層から偏光板１１８、液晶部１２０、電極基板１２２及び偏光板１２４が配置され、偏光板１２４の背面側には光源１２６が配置されている。電極基板１２２は画素電極を構成する。液晶部１２０には複数の液晶分子１２８を備える。
【０１１２】
このようなＬＣＤ３４では、液晶分子１２８を電極基板１２２に対して水平に動かすことにより、偏光板１２４を通過した一定の向きを持つ光１３０を通過させ（図３０の液晶分子１２８ａ）又は遮断（図３０の液晶分子１２８ｂ）している。ＩＰＳ方式では従来のＳＴＮ（Super-Twisted Nematic ）方式に比較して液晶分子１２８にねじれが無いため、通過した光１３０が放射線状に広がり、広い視野角が得られる。但し、液晶分子１２８は水平方向に回転させるため、その向き（即ち、データの輝度レベル）に応じて視野角特性（コントラスト）が異なる。そこで、ＩＰＳ液晶を用いた場合には例えば、図３１に示すような特性が得られる。この図３１では、正面に対して左右４５〔度〕の角度から見た場合の正面に対するコントラスト比率〔％〕を示している。液晶の種類によりコントラスト比率は異なるものの、この例では、映像レベル〔％〕が１０〔％〕から４０〔％〕の範囲で大幅に低下し、４０〔％〕を超えると、コントラスト比率〔％〕が０．２５以下で安定していることが判る。
【０１１３】
ＬＣＤ３４を通過する光１３０は、液晶分子１２８の完全なＯＮ状態（液晶分子１２８ａ：図３０）では放射線状に広がるのに対し、液晶分子１２８がＯＦＦ（液晶分子１２８ｂ：図３０）方向に回転することにより、放射状に広がることが妨げられる。即ち、偏光板１２４からの光１３０の出方が変化する。これが輝度によって視野角特性が異なる理由である。
【０１１４】
そこで、表示画像のコントラストを抑えるため、データ処理によって表示画像全体の黒レベルを持ち上げれば、正面から見たコントラスト比率は低下することになる。しかし、図３１に示すような広視野角特性を持つＩＰＳ液晶等で黒レベルを強調すると、図３２に示す特性となり、横方向側のコントラスト比率が高くなり、特性が劣化してしまう。
【０１１５】
そこで、本開示の覗き見防止機能では、表示データ４に既述の通り、単一ドット又は複数ドットを単位として複数の明部と暗部とを分布させたパターンデータ６を合成し、白レベルでクリップさせ、表示データ４の暗部に白データＷを分布させている。この白データＷは、ドット単位（画素単位）で形成されている。
【０１１６】
ＬＣＤ３４（図２８）は、画素単位で液晶分子１２８をＯＮさせ、斜めから見た場合にデータ部分に対して左右の完全にＯＮしている液晶分子１２８の部分から通過した光１３０が広視野角を持っている。このため、表示データ４の暗部に白データＷを分布させた合成表示データ１４を表示する液晶表示画面６２では、正面から見た場合に比較し、横方向から見た方が、左右のＯＮしている画素から受ける影響が顕著となる。
【０１１７】
このような液晶表示画面６２の画像表示では、図３３において、Ｌ1 に示すベールビュー特性が得られ、図３３のＬ2 は、比較のための黒レベルを強調した場合の特性である。特性Ｌ1 では正面を中心にして左右４５〔度〕の方向の視野角（−４５〔度〕〜４５〔度〕）範囲でコントラストが一様に低下している。
【０１１８】
このような本開示のベールビュー特性が付与された画像表示では、図３４に示すように、正面側の視点１３２で視認される画像に比較し、角度θだけ変位させた斜め方向の視点１３４では、表示データ４の表示部分１３６より全白部分１３８が白く浮き上がって見え、見掛け上、低コントラスト化が図られることになる。これにより、覗き見防止機能が達成されている。
【０１１９】
〔上記実施の形態の利点及び変形例等〕
【０１２０】
上記実施の形態から利点や特徴を以下に列挙し、他の実施の形態に言及する。
【０１２１】
(1) 交通機関や公共の場等、人目に触れる場所で使われる携帯端末装置２２にＬＣＤ３４が備えられているが、斯かるＬＣＤ３４の表示制御によって表示内容の覗き見防止（ベールビュー）の機能を高めることができる。
【０１２２】
(2) ＬＣＤ３４に超ねじれネマティック（ＳＴＮ）方式や、視野角の広いＴＦＴ（Thin Film Transister）方式が使用されても、上記実施の形態の表示制御を用いれば、覗き見防止機能を高めることができる。本開示の覗き見防止機能は何れの液晶パネルにも適応できる。
【０１２３】
(3) 本開示の覗き見防止機能では、ＬＣＤ３４自体に何ら変更することなく、表示データ４を処理することで、覗き見防止の機能を高めている。従来の例えば、２方向から別々の画像を見ることのできる液晶等の特殊加工をする方法では液晶パネルのコストを増加させる。これに対し、上記実施の形態では、液晶パネルのコスト増加はなく、低コストで覗き見防止機能を実現している。また、パターンデータの合成により表示データを加工しているが、表示画面では正面からの視認性を抑え、覗き見防止を図ることができ、表示データの加工技術の特性改善を図ることができる。
【０１２４】
(4) 既述のように、黒レベルの強調によるデータ処理では、斜めから見るとコントラストが上がるという現象が見られるが、これは、斜めから見たときの輝度特性が、暗い方の減衰率が高いために生じる。このような不都合は、上記実施の形態即ち、本開示の覗き見防止機能によって改善することができる。
【０１２５】
(5) ＬＣＤ３４の視野角を制限させるため、図８ないし図１０に例示したメッシュパターンの全白のデータを用いて表示データ４に合成し、クリップ処理によって表示データ４を覗き見防止が図られた合成表示データ１４に置換することができる。
【０１２６】
(6) メッシュパターンを重ねることにより、単純メッシュであれば解像度が１／２となってしまうが、このような課題は、メッシュのパターンバリエーションでＯＦＦ部分を間引くことにより、極端な解像度の劣化を抑制できる。
【０１２７】
(7) 上記実施の形態では、データ源２４のデータから表示データ生成部２６で表示データ４を生成し、この表示データ４にパターンデータ６を合成する。このデータによる画像合成では、表示データ４に白データと黒データとからなるパターンデータ６を合成し、白データ部分は白データにクリップされる。また、黒データ部分は、画像データとしては“０”であるため、表示データ４の黒部分はそのまま表示部８に送られる。そして、データ合成のＯＮ／ＯＦＦ制御は制御部３０で行われる。
【０１２８】
(8) パターンデータ生成部１０では、パターンデータをメモリ（例えば、パターンデータ記憶部５６）に格納し、そのメモリから任意に読み出され、データ合成に用いられるが、覗き見防止の機能を停止する場合には、パターンデータの読出しを停止する。その場合、表示データ４のみが表示部８に供給される。
【０１２９】
(9) ＬＣＤ３４の表示データ即ち、点灯パターンを制御するので、制御ソフトの変更のみであり、従前のフィルム貼付や特殊なＬＣＤパネルを用いる必要がない。ＬＣＤパネルについては、従来のＬＣＤパネルを用いて覗き見防止機能が実現できる。
【０１３０】
(10)  メッシュパターンの重合した場合には、画素を白くした比率によって解像度の低下や、パターンによっても見た目が大きく変わる。これに対し、図８ないし図１０に例示するように、メッシュパターンデータを格子状として見た目の画質を向上させることができる。また、パターンデータは、ストライプ状模様のパターンを構成してもよい。
【０１３１】
(11)  メッシュパターンを重合すると、パターンによっては局所的な輝度むらが生じるが、これは、画面全体を既述のように、格子状にすることで改善できる。
【０１３２】
(12)  上記実施の形態では、斜めから輝度特性によるコントラスト特性を改善することができる。即ち、広視野角のＬＣＤ３４において、斜めから見たときの輝度特性が暗い程、劣化量が大きくなる傾向にある。例えば、正面からのコントラストを犠牲にして斜めからのコントラストを落とそうとした場合に、斜め方向からのコントラストの上昇に対し、本開示の覗き見防止機能では、斜めから見た場合の隣の画素（白ないし明部）の影響を利用し、斜めから見たときにコントラストが上がってしまう現象を低減させることができる。
【０１３３】
(13)  上記実施の形態では、表示データ４がＹＵＶフォーマットのデータであれば、ＲＧＢフォーマットに変換し、ＬＣＤ３４に表示可能なデータに変換した後、パターンデータ６を合成し、液晶表示を制御し、その画像を表示している。
【０１３４】
(14)  上記実施の形態では、本開示の表示制御装置を適用した電子機器として、携帯装置２（図１）や、携帯端末装置２２（図３）を例示したが、本開示の表示制御装置はこれに限定されない。本開示の表示制御装置は、ＬＣＤ３４等の表示器や表示機能を備えた電子機器であればよく、携帯情報端末機（ＰＤＡ：Personal Digital Assistant）２００（図３５）や、パーソナルコンピュータ（ＰＣ）３００（図３６）であってもよく、既述の覗き見防止機能を実現することができる。ＰＤＡ２００及びＰＣ３００において、上記実施の形態と共通部分には共通符号を付し、その説明を省略する。
【０１３５】
(15)  上記実施の形態では、パターンデータの白データと黒データとを単一ドット単位又は複数ドット単位で形成しているが、これに限定されない。例えば、図８ないし図１０に例示したパターンデータにおいて、白データ部と黒データ部とを複数ドット単位で形成し、白データ部と黒データ部、又は明部データ部と暗部データ部とを仕切る格子状の輪郭線を形成してもよい。この輪郭線は例えば、単一ドット又は複数ドット単位で形成すればよい。
【０１３６】
(16)  上記実施の形態では、明部データとして白データ、暗部データとして黒データを例示しているが、このような無着色データに限定されない。例えば、明部データとして白データ以外の黄色等の着色データ、暗部データとしてブルー等の着色データを使用してもよく、同様に低コントラスト化による覗き見防止機能を実現できる。
【０１３７】
(17)  上記実施の形態では、パターンデータとしてチェック模様を用いているが、これに限定されない。チェック模様に代え、文字情報を用いてもよい。
【０１３８】
(18)  上記実施の形態において、データ源２４が既述の表示データ４を生成する構成であれば、上記実施の形態の表示データ生成部２６を省略してもよい。この場合、表示データ記憶部５７に表示データ４を記憶させ、この表示データ４をデータ合成部２８に対して提供すればよい。
【０１３９】
〔比較例〕
【０１４０】
従前のＬＣＤ表示の覗き見防止には、プライバシーフィルムを貼る簡易的なもの、ＬＣＤの表示面にスイッチパネルを重ねて横からの視角を電気的に制限して実現するもの、ＬＣＤ表示にグレー表示を重ねて表示を全体的に見え難くするものがある。
【０１４１】
プライバシーフィルムを貼る簡易的なものでは、プライバシーフィルムの劣化や貼着等の手間がある等、何れのものも覗き見防止機能が得られないという課題がある。斯かる課題は、上記実施の形態に述べた覗き見防止機能によって解決されている。
【０１４２】
次に、以上述べた実施例を含む実施の形態に関し、更に以下の付記を開示する。以下の付記に本発明が限定されるものではない。
【０１４３】
（付記１）  単一ドット又は複数ドットを単位として複数の明部と暗部とを分布させたパターンデータを生成するパターンデータ生成部と、
表示部の表示データに前記パターンデータを合成するデータ合成部と、
を備えることを特徴とする表示制御装置。
【０１４４】
（付記２）  前記データ合成部は、前記パターンデータとの合成により前記表示データを該表示データの暗部分に前記パターンデータの前記明部を分布させた合成表示データに変換することを特徴とする付記１に記載の表示制御装置。
【０１４５】
（付記３）  前記パターンデータは、前記明部と前記暗部とを交互に配置したデータであることを特徴とする付記１に記載の表示制御装置。
【０１４６】
（付記４）  前記パターンデータ生成部は、複数の異なるパターンデータを格納する記憶部と、
この記憶部からパターンデータを選択して読み出す記憶制御部と、
を備えることを特徴とする付記１に記載の表示制御装置。
【０１４７】
（付記５）  前記データ合成部は、
前記表示データに前記パターンデータを加算する加算部と、
前記加算部で得た加算データの明部側を所定のクリップレベルでクリップさせるクリップ処理部と、
を備えることを特徴とする付記１に記載の表示制御装置。
【０１４８】
（付記６）  更に、前記パターンデータの生成、又は前記表示データに対する前記パターンデータの合成の何れか一方又は双方を制御する制御部と、
を備えることを特徴とする付記１に記載の表示制御装置。
【０１４９】
（付記７）  更に、前記表示データに前記パターンデータを合成し、又は前記表示データに合成する前記パターンデータを選択するスイッチと、
を備えることを特徴とする付記１に記載の表示制御装置。
【０１５０】
（付記８）  コンピュータによって実行される表示制御プログラムであって、
単一ドット又は複数ドットを単位として複数の明部と暗部とを配置したパターンデータを生成する機能と、
表示部の表示データに前記パターンデータを合成する機能と、
を前記コンピュータに実行させる表示制御プログラム。
【０１５１】
（付記９）  更に、前記表示データに前記パターンデータの合成後、所定のクリップレベルでクリップさせて合成データを得る機能を含むことを特徴とする付記８に記載の表示制御プログラム。
【０１５２】
（付記１０）  単一ドット又は複数ドットを単位として複数の明部と暗部とを配置したパターンデータを生成するステップと、
表示部の表示データに前記パターンデータを合成するステップと、
前記パターンデータが合成された表示データを表示部に表示するステップと、
を含むことを特徴とする表示制御方法。
【０１５３】
（付記１１）  更に、前記表示データに前記パターンデータの合成後、所定のクリップレベルでクリップさせて合成データを得るステップを含むことを特徴とする付記１０に記載の表示制御方法。
【０１５４】
以上説明したように、表示制御装置、表示制御プログラム及び表示制御方法の最も好ましい実施の形態等について説明したが、本発明は、上記記載に限定されるものではなく、特許請求の範囲に記載され、又は発明を実施するための形態に開示された発明の要旨に基づき、当業者において様々な変形や変更が可能であることは勿論であり、斯かる変形や変更が、本発明の範囲に含まれることは言うまでもない。
【符号の説明】
【０１５５】
２  表示制御装置
４  表示データ
６  パターンデータ
８  表示部
１０  パターンデータ生成部
１２  データ合成部
１４  合成表示データ
２４  データ源
２６  表示データ生成部
３０  制御部
３８  機能切替部
５６  パターンデータ記憶部
６２  液晶表示画面
【図１】
2011203683.tif 000003
【図２】
2011203683.tif 000004
【図３】
2011203683.tif 000005
【図４】
2011203683.tif 000006
【図５】
2011203683.tif 000007
【図６】
2011203683.tif 000008
【図７】
2011203683.tif 000009
【図８】
2011203683.tif 000010
【図９】
2011203683.tif 000011
【図１０】
2011203683.tif 000012
【図１１】
2011203683.tif 000013
【図１２】
2011203683.tif 000014
【図１３】
2011203683.tif 000015
【図１４】
2011203683.tif 000016
【図１５】
2011203683.tif 000017
【図１６】
2011203683.tif 000018
【図１７】
2011203683.tif 000019
【図１８】
2011203683.tif 000020
【図１９】
2011203683.tif 000021
【図２０】
2011203683.tif 000022
【図２１】
2011203683.tif 000023
【図２２】
2011203683.tif 000024
【図２３】
2011203683.tif 000025
【図２４】
2011203683.tif 000026
【図２５】
2011203683.tif 000027
【図２６】
2011203683.tif 000028
【図２７】
2011203683.tif 000029
【図２８】
2011203683.tif 000030
【図２９】
2011203683.tif 000031
【図３０】
2011203683.tif 000032
【図３１】
2011203683.tif 000033
【図３２】
2011203683.tif 000034
【図３３】
2011203683.tif 000035
【図３４】
2011203683.tif 000036
【図３５】
2011203683.tif 000037
【図３６】
2011203683.tif 000038